(57)【要約】      （修正有）【課題】食事中の飛沫を防ぐのに役立つ、手で持つフェイスシールドに簡便に転用可能なクリアファイルを提供する。【解決手段】フェイスシールド１５０に転用するクリアファイル１００であって、表側シート１１０は溶着短辺１０２上の点を始点とし折返長辺１０１上の点を終点とする直線と曲線の任意の組み合わせから成り連なっている２本の交わらない線を備えており、そのうち溶着短辺１０２と折返長辺１０１との交点Ｅから近い方の線は左持手部切取線１４０Ｌであり、もう一方の線は左顔覆部切取線１３０Ｌである。裏側シート１２０は溶着短辺１０２上の点を始点とし折返長辺１０１上の点を終点とする直線と曲線の任意の組み合わせから成り連なっている２本の交わらない線を備えており、そのうち前記交点Ｅから近い方の線は右持手部切取線であり、もう一方の線は右顔覆部切取線である。【選択図】図１
0003231353.tif 000002
【実用新案登録請求の範囲】
【請求項１】
中央の折返長辺で二つ折りにして重ねられて略矩形の表側シートと裏側シートが構成され、表側シート及び裏側シートの前記折返長辺と対向する長辺がそれぞれ開放された表側開放長辺及び裏側開放長辺となり、前記折返長辺に隣接する一方の短辺が相互に溶着された溶着短辺となり、他方の短辺がそれぞれ開放された表側開放短辺及び裏側開放短辺となっているクリアファイルであり、かつフェイスシールドに転用するクリアファイルにおいて、表側シートは、前記溶着短辺上の点を始点とし前記折返長辺上の点を終点とする直線と曲線の任意の組み合わせから成り連なっている２本の交わらない線を備えており、そのうち前記溶着短辺と前記折返長辺との交点から近い方の線は左持手部切取線であり、もう一方の線は左顔覆部切取線であることを条件１とする。裏側シートは、前記溶着短辺上の点を始点とし前記折返長辺上の点を終点とする直線と曲線の任意の組み合わせから成り連なっている２本の交わらない線を備えており、そのうち前記交点から近い方の線は右持手部切取線であり、もう一方の線は右顔覆部切取線であることを条件２とする。前記条件１と前記条件２の両方またはどちらか一方を満たしていることを特徴とするクリアファイル。
【請求項２】
表側シートが前記溶着短辺上の点を始点とし前記折返長辺上の点を終点とする直線と曲線の任意の組み合わせから成り連なっていて前記交点から最短距離が８ｃｍ以内の左持手部切取線を備えていることと、裏側シートが前記溶着短辺上の点を始点とし前記折返長辺上の点を終点とする直線と曲線の任意の組み合わせから成り連なっていて前記交点から最短距離が８ｃｍ以内の右持手部切取線を備えていること、の両方またはどちらか一方を満たしていることを特徴とする請求項１に記載のクリアファイル。
【請求項３】
表側シートが前記溶着短辺上の点を始点とし前記折返長辺上の点を終点とする直線と曲線の任意の組み合わせから成り連なっていて前記交点から最長距離が１０ｃｍ以上の左顔覆部切取線を備えていることと、裏側シートが前記溶着短辺上の点を始点とし前記折返長辺上の点を終点とする直線と曲線の任意の組み合わせから成り連なっていて前記交点から最長距離が１０ｃｍ以上の右顔覆部切取線を備えていること、の両方またはどちらか一方を満たしていることを特徴とする請求項１または請求項２に記載のクリアファイル。
【考案の詳細な説明】
【技術分野】
【０００１】本考案は、片手で持ち、顔を覆って飛沫等の飛散を防止するためのフェイスシールドに転用可能なクリアファイルに関する。
【背景技術】
【０００２】飛散する飛沫等の曝露から装着者の顔面を保護したり、装着者から周囲への飛沫等の飛散を防止したりするためのフェイスシールドは従来から提供されており、フェイスシールドに転用可能なクリアファイルは下記特許文献１に開示されている。
【先行技術文献】
【特許文献】
【０００３】
【特許文献１】実用新案登録第３２２７４４０号公報
【非特許文献】
【考案の概要】
【考案が解決しようとする課題】
【０００４】特許文献１に記載のクリアファイルから転用されるフェイスシールドは、紐等で顔前に固定され口や鼻を覆うものであるが、口との隙間が狭いため飲食が困難という問題がある。【０００５】また、飲食用の頭に装着するフェイスシールドは、顔を覆うカバーを押し上げたり、横へ開いたりする間に料理を口に運ぶ行為をするが、その間にも、発話中の他者からの飛沫を浴びるリスクがあるという課題がある。【０００６】頭に装着するタイプのフェイスシールドは、装着するのが面倒であることや頭髪が乱れることなどの問題点がある。また、頭部のケガや持病のある人は装着ができないことも課題である。【０００７】そこで、本考案は、自身の飛沫飛散や他者からの飛沫曝露を間断なく防ぎながら食事ができ、手に持って使用するフェイスシールドに簡便に転用可能なクリアファイルを提供することを目的とする。
【課題を解決するための手段】
【０００８】本請求項１に係る考案は、中央の折返長辺で二つ折りにして重ねられて略矩形の表側シートと裏側シートが構成され、表側シート及び裏側シートの前記折返長辺と対向する長辺がそれぞれ開放された表側開放長辺及び裏側開放長辺となり、前記折返長辺に隣接する一方の短辺が相互に溶着された溶着短辺となり、他方の短辺がそれぞれ開放された表側開放短辺及び裏側開放短辺となっているクリアファイルであり、かつフェイスシールドに転用するクリアファイルにおいて、表側シートが、前記溶着短辺上の点を始点とし前記折返長辺上の点を終点とする直線と曲線の任意の組み合わせから成り連なっている２本の交わらない線を備えており、そのうち前記溶着短辺と前記折返長辺との交点から近い方の線は左持手部切取線であり、もう一方の線は左顔覆部切取線を備えている。裏側シートは、前記溶着短辺上の点を始点とし前記折返長辺上の点を終点とする直線と曲線の任意の組み合わせから成り連なっている２本の交わらない線を備えており、そのうち前記交点から近い方の線は右持手部切取線であり、もう一方の線は右顔覆部切取線を備えていることにより、前述した課題を解決するものである。【０００９】本請求項２に係る考案は、前記クリアファイルにおいて、表側シートと裏側シートの両方またはどちらか一方が、前記溶着短辺上の点を始点とし前記折返長辺上の点を終点とする直線と曲線の任意の組み合わせから成り連なっていて前記交点から最短距離が８ｃｍ以内の持手部切取線を備えていることにより、前述した課題を解決するものである。【００１０】本請求項３に係る考案は、前記クリアファイルにおいて、表側シートと裏側シートの両方またはどちらか一方が、前記溶着短辺上の点を始点とし前記折返長辺上の点を終点とする直線と曲線の任意の組み合わせから成り連なっていて前記交点から最長距離が１０ｃｍ以上の顔覆部切取線を備えていることにより、前述した課題を解決するものである。
【考案の効果】
【００１１】本考案のクリアファイルによれば、顔覆部切取線および持手部切取線で切り取ったものを立体形に変形させることで、手で持つことのできるフェイスシールド本体が簡便に形成することができる。【００１２】本考案のクリアファイルによれば、立体形の中央部が折れ型のフェイスシールドが形成されるため、突出した鼻のある人間の顔の形状に適合したフェイスシールドを形成することができる。【００１３】本考案のクリアファイルによれば、前記折返長辺と前記溶着短辺との交点付近でこれら２つの辺を合わせると、ラッパ型に開いた立体形を形成することができる上、前記顔覆部切取線で切り取ることで、持つ人の目元付近から下顎及び喉元を広く覆うのに必要十分な立体形を作ることができ、自らの飛沫飛散を効果的に防ぐことができるフェイスシールドを形成することができる。【００１４】本考案のクリアファイルから転用したフェイスシールドは、手で持って使用するため口との隙間を自在に調整しながら、顔を覆うことができ、飲食中も間断なく他者からの飛沫飛散を防ぐことができる。【００１５】本考案のクリアファイルは、前記持手部切取線によって折返長辺と溶着短辺のなす角が切断されるので、立体形に形成する際に生じるひずみ等による破損は生じないため、クリアファイルを安全、確実に、本考案に係るフェイスシールドに変形させることができる。【００１６】また、前記持手部切取線付近を手で押さえて持つことで、立体形状を保持でき、角が切断されているため手指に損傷を与えず安全に手で持つことができるため、フェイスシールドを快適に使用することができる。頭に装着しないため、頭部のケガや持病のある人も使用することができる。
【図面の簡単な説明】
【００１７】
【図１】本考案の実施形態に係るクリアファイルの表側シートの摸式図である。
【図２】本考案の実施形態に係るクリアファイルの裏側シートの模式図である。
【図３】本考案の実施形態に係るクリアファイルを切取線で切断したものを、左右に開いた立体の状態を示す図である。
【図４】本考案の実施形態に係るクリアファイルにクリップを取り付けて手で持った状態を示す図である。
【図５】図４の状態において、顔の右面を示す図である。
【考案を実施するための形態】
【００１８】以下、図面を参照しながら、本考案の実施形態について詳細に説明する。本実施形態のクリアファイル１００は切取線で切断したのち、立体形状に形成してフェイスシールド１５０となり、手に持って顔面を覆うことができる。
【００１９】本考案に係るクリアファイル１００は、１枚のシートを中央で折返した折返長辺１０１を備え、隣接した１辺を溶着した溶着短辺１０２を備える略矩形である。表側シート１１０と裏側シート１２０が溶着された前記溶着短辺１０２と反対側に表側シート開放短辺１１２と裏側シート開放短辺１２２を備え、折返長辺１０１と反対側に、表側シート開放長辺１１１と裏側シート開放長辺１２１を備える。
【００２０】表側シートまたは裏側シートの両方またはどちらか一方が、前記溶着短辺上の点を始点とし前記折返長辺上の点を終点とする直線と曲線の任意の組み合わせから成り連なっている２本の交わらない線を備えており、そのうち前記溶着短辺と前記折返長辺との交点から近い方の線は持手部切取線であり、もう一方の線は顔覆部切取線であることにより、立体形に変形させて手で持つフェイスシールドを、簡便に形成することができるクリアファイルであれば、その具体的な実施様態は、いかなるものであっても構わない。
【００２１】また、本考案は、表側シートまたは裏側シートの両方またはどちらか一方が、前記溶着短辺上の点を始点とし前記折返長辺上の点を終点とする直線と曲線の任意の組み合わせから成り連なっていて前記交点から最長距離が１０ｃｍ以上の顔覆部切取線を備えていることにより、持つ人の目元付近から下顎及び喉元を広く覆うのに必要十分な立体形のフェイスシールドを形成することができるクリアファイルであれば、その具体的な実施様態は、いかなるものであっても構わない。
【００２２】また、本考案は、表側シートまたは裏側シートの両方またはどちらか一方が、前記溶着短辺上の点を始点とし前記折返長辺上の点を終点とする直線と曲線の任意の組み合わせから成り連なっていて前記交点から最短距離が８ｃｍ以内の持手部切取線を備えていることにより、破損することなく立体形に形成され、安定して手で持つことのできるフェイスシールドを形成することができるクリアファイルであれば、その具体的な実施様態は、いかなるものであっても構わない。
【００２３】本考案のクリアファイルの表側シートまたは裏側シートは、顔覆部切取線および持手部切取線の２本の線を備えていることが望ましいが、顔覆部切取線のみの備えでもよく、その場合は、顔を覆うための必要十分な面積が確保されたフェイスシールドを形成することができるクリアファイルであればその具体的な実施様態は、いかなるものであっても構わない。
【００２４】本考案のクリアファイルの表側シートまたは裏側シートは、顔覆部切取線および持手部切取線の２本の線を備えていることが望ましいが、持手部切取線のみの備えの場合でも、持ち手部分が安定して保持できるフェイスシールドを形成することができるクリアファイルであれば、その具体的な実施様態は、いかなるものであっても構わない。
【００２５】本考案のクリアファイルの表側シートおよび裏側シートに備える２つの顔覆部切取線は、同一の線または形状でなくても構わない。フェイスシールドとして顔を覆う際には、左右でその形状が異なるものになるが、顔を覆うための一定の面積が確保される形状であれば、その具体的な実施様態は、いかなるものであっても構わない。
【００２６】また、本考案のクリアファイルの表側シートおよび裏側シートに備える２つの持手部切取線は、同一の線または形状でなくて構わない。フェイスシールドとして手で保持される際には、安定してその立体形状を保つことのできる形状であれば、その具体的な実施様態は、いかなるものであっても構わない。
【００２７】クリアファイルのサイズはＡ４、Ｂ５、あるいはＡ５サイズのいずれでも良く、顔を覆う十分なサイズであればその他のサイズであっても構わない。
【００２８】クリアファイルの素材はプラスチックであり、通常ポリプロピレンやＰＥＴが多い。本考案の実施においては、クリアファイルの立体化に伴う湾曲に耐える一定程度の柔軟性を持つ素材であることが必要であり、かつ、折れても破損しない程度の強度が求められる。以上を満たせば、プラスチック以外の素材でもかまわない。
【００２９】またクリアファイルは会話時の口元が見えるよう透明な方が好ましいが、透明でなくても、また色付けされた絵等が印刷されていてもよい。
【００３０】クリアファイルは、表側シートと裏側シートとを熱溶着して一体化されるが、表側シートと裏側シートとを接着その他の方法により一体化したものであっても構わない。
【００３１】クリアファイル上の切取線は印刷が好ましいが、シールや型見本紙の貼付または差込みでもよく、切取線の指示内容の示し方はどんな形態でも構わない。
【００３２】本考案のクリアファイルを用いたフェイスシールドは持ち手部分をクリップで留めることで、立体形が一層安定して保持できる。留め具はクリップが好ましいが、これに限らず紐やその他の留め具でも構わない。また、フェイスシールド本体に孔を開けて、紐状のものを通して結んでもよい。
【００３３】本考案に係るクリアファイルによれば、顔覆部切取線の位置および形状等によってフェイスシールドの形状や大きさを変えられるため、顔の個人差に合ったさまざま形状やデザイン性の高い形状のフェイスシールドも形成することができる。
【実施例】
【００３４】図１のように、本考案に係るクリアファイルにおいて、表側シート１１０は、溶着短辺１０２上の点を始点とし折返長辺１０１上の点を終点とする直線と曲線の任意の組み合わせから成り連なっている２本の交わらない線を備えており、そのうち前記溶着短辺１０２と前記折返長辺１０１との交点Ｅから近い方の線は左持手部切取線１４０Ｌであり、もう一方の線は左顔覆部切取線１３０Ｌである。【００３５】図２のように、本考案に係るクリアファイルにおいて、裏側シート１２０は、前記溶着短辺１０２上の点を始点とし前記折返長辺１０１上の点を終点とする直線と曲線の任意の組み合わせから成り連なっている２本の交わらない線を備えており、そのうち前記交点Ｅから近い方の線は右持手部切取線１４０Ｒであり、もう一方の線は右顔覆部切取線１３０Ｒである。【００３６】次に本実施例のクリアファイル１００からフェイスシールド１５０を切り離してフェイスシールドとして使用する手順を説明する。【００３７】本考案の実施形態のクリアファイル１００において、顔覆部切取線１３０および持手部切取線１４０は、表側シート１１０と裏側シート１２０のどちらか一方にしかない場合には、両シートを重ねた状態で、２枚同時に切断する。【００３８】本考案の実施形態のクリアファイル１００において、顔覆部切取線１３０および持手部切取線１４０は、表側シート１１０および裏側シート１２０の両方にある場合には、それぞれのシートごとにそれぞれの線で切断する。【００３９】図３のように、左顔覆部切取線１３０Ｌ及び右顔覆部切取線１３０Ｒを上に、左持手部切取線１４０Ｌおよび右持手部切取線１４０Ｒを下に向け、重なっている左顔覆部切取線１３０Ｌと右顔覆部切取線１３０Ｒを左右に開いてから、溶着短辺１０２を折返長辺１０１に合わせるように接近させて、立体の形状を形成する。【００４０】そして、フェイスシールド１５０の最下部となる左持手部切取線１４０Ｌおよび右持手部切取線１４０Ｒを指で挟んで持ち、上に開いた筒型の立体形状のまま保持する。前述の通り、持手部切取線１４０によってクリアファイル１００における交点Ｅ付近が切り落とされてあるため（図１、図２参照）、折返長辺１０１と溶着短辺１０２とを各々の切断点およびその付近で重ね合わせられ、容易に立体化ができる。【００４１】図４のように、フェイスシールド１５０の最下部は、クリップ５で閉じることが好ましい。クリップ５により筒型の立体形状は安定して形を保たれる上、手で持ち易くなる。さらに、クリップ５に紐状のストラップ等を取り付けると、指にとりつけることができる。【００４２】フェイスシールド１５０の使用後は、元の形状にたたんで戻し、薄く小さい形状となり、バッグ等に収納及び携帯ができる。【００４３】以上、本考案に係るクリアファイル１００について実施例を説明したが、本考案は、これらに限定されるものではない。【００４４】その他、本考案はその主旨を逸脱しない範囲で考案者の知識に基づき種々の改良、修正、変更を加えた態様で実施できるものである。
【産業上の利用可能性】
【００４５】本考案に係るクリアファイルは紙葉類を収容、保管する文具として用いることができる上に、フェイスシールド本体として利用することができる。【００４６】本考案に係るクリアファイルは、立体形状のフェイスシールドに変形させたのち、歌唱をする際に使用するフェイスシールドとして利用できる。
【符号の説明】
【００４７】  Ｅ      交点
１００  クリアファイル
１０１  折返長辺
１０２  溶着短辺
１１０  表側シート
１１１  表側シート開放長辺
１１２  表側シート開放短辺
１２０  裏側シート
１２１  裏側シート開放長辺
１２２  裏側シート開放短辺
１３０  顔覆部切取線
１３０Ｌ  左顔覆部切取線
１３０Ｒ  右顔覆部切取線
１４０  持手部切取線
１４０Ｌ  左持手部切取線
１４０Ｒ  右持手部切取線
１５０  フェイスシールド
５      クリップ
【図１】
0003231353.tif 000003
【図２】
0003231353.tif 000004
【図３】
0003231353.tif 000005
【図４】
0003231353.tif 000006
【図５】
0003231353.tif 000007